(57)【要約】【課題】簡単な構造で、製造コストの増加及びデジタルカメラの大型化を招くことなく、デジタルカメラの外部から流入する静電気をグランド部へ確実に流すことができる仕組みを提供する。【解決手段】デジタルカメラは、電池７を出し入れ可能に収納する電池収納室８と、外部機器が電気的に接続される外部コネクタ１５と、グランド部に電気的に導通するシャーシ１３と、電池収納室８内にシャーシ１３に電気的に導通した状態で設けられ、電池収納室８に電池７を収納する際に電池７で押されることでばね力に抗して変形し、電池収納室８から電池７を取り出す際に変形状態が開放されてばね力により電池７を電池収納室８から排出する方向に押し出すばね部材１０と、を備える。ばね部材１０は、外部コネクタ１５のハウジングに当接して、該ハウジングと電気的に導通する当接部１０ａを有する。【選択図】図５
2012003916.tif 000002
【特許請求の範囲】
【請求項１】
電池を出し入れ可能に収納する電池収納室と、
外部機器が電気的に接続される外部コネクタと、
グランド部に電気的に導通するシャーシと、
前記電池収納室の内部に配置され、前記電池収納室に収納される前記電池を前記電池収納室から排出するばね部材と、を備え、
前記ばね部材は、前記シャーシと電気的に導通するように配置されるとともに、前記外部コネクタのハウジングに当接して、該ハウジングと電気的に導通する当接部を有することを特徴とする電子機器。
【請求項２】
前記ばね部材は、前記電池収納室に設けられた電池端子と前記外部コネクタとの間に配置され、前記電池収納室に収納された前記電池の中央部に当接することを特徴とする請求項１に記載の電子機器。
【請求項３】
前記外部コネクタが実装される操作フレキシブル基板と前記ばね部材とで前記シャーシを挟み込んだ状態で前記当接部が前記外部コネクタのハウジングに当接することを特徴とする請求項１又は２に記載の電子機器。
【請求項４】
前記ばね部材は、前記電池収納室又は前記シャーシに固定されることを特徴とする請求項１乃至３のいずれか一項に記載の電子機器。
【発明の詳細な説明】
【技術分野】
【０００１】
本発明は、例えばデジタルカメラ等の電子機器に関する。
【背景技術】
【０００２】
デジタルカメラ等の電子機器では、外部機器と接続するための外部コネクタを有するものがある。ところで、外部コネクタに対してケーブル等を介して外部機器を着脱する際には、ユーザに帯電した静電気が、外部コネクタを外装部材に固定するねじ等を介して機器内部の回路基板等に流入する場合がある。この場合、回路基板等に実装された電子部品に悪影響を及ぼすことになる。
【０００３】
そこで、外装部材の内側に該外装部材を補強する補強部材をねじ止めし、該補強部材とグランド部が設けられた外部コネクタのハウジングとの間に圧縮ばねを配置した電子機器が提案されている（特許文献１）。
【０００４】
この提案では、圧縮ばねの両端をそれぞれ補強部材及び外部コネクタのハウジングに接触させることで、外装部材とグランド部とをねじ、補強部材及び圧縮ばねを介して電気的に導通させ、これにより、静電気を外装部材からグランド部へ確実に流すようにしている。
【先行技術文献】
【特許文献】
【０００５】
【特許文献１】特開２００８−１３５２８３号公報
【発明の概要】
【発明が解決しようとする課題】
【０００６】
しかし、上記特許文献１では、外装部材を補強する補強部材及び圧縮ばねが新たに必要になるため、構造が複雑になると共に、部品点数の増加による製造コストの増加を招き、また、補強部材及び圧縮ばねの配置スペースが必要になるため、機器の大型化も招く。
【０００７】
そこで、本発明は、簡単な構造で、製造コストの増加及び機器の大型化を招くことなく、電子機器の外部から流入する静電気をグランド部へ確実に流すことができる仕組みを提供することを目的とする。
【課題を解決するための手段】
【０００８】
上記目的を達成するために、本発明の電子機器は、電池を出し入れ可能に収納する電池収納室と、外部機器が電気的に接続される外部コネクタと、グランド部に電気的に導通するシャーシと、前記電池収納室の内部に配置され、前記電池収納室に収納される前記電池を前記電池収納室から排出するばね部材と、を備え、前記ばね部材は、前記シャーシと電気的に導通するように配置されるとともに、前記外部コネクタのハウジングに当接して、該ハウジングと電気的に導通する当接部を有することを特徴とする。
【発明の効果】
【０００９】
本発明によれば、簡単な構造で、製造コストの増加及び機器の大型化を招くことなく、電子機器の外部から流入する静電気をグランド部へ確実に流すことができる。
【図面の簡単な説明】
【００１０】
【図１】本発明の電子機器の第１の実施形態であるデジタルカメラを正面側から見た斜視図である。
【図２】図１に示すデジタルカメラを背面側から見た斜視図である。
【図３】図１に示すデジタルカメラの分解斜視図である。
【図４】デジタルカメラの制御系の一例を示すブロック図である。
【図５】カメラ本体における電池収納室の要部断面図である。
【図６】電池収納室にばね部材、シャーシ及び操作フレキシブル基板を組み付ける例を説明するための説明図である。
【図７】本発明の電子機器の第２の実施形態であるデジタルカメラの要部断面図である。
【図８】電池収納室にばね部材、シャーシ及び操作フレキシブル基板を組み付ける例を説明するための説明図である。
【発明を実施するための形態】
【００１１】
以下、本発明の実施形態を図面を参照して説明する。
【００１２】
（第１の実施形態）
図１は本発明の電子機器の第１の実施形態であるデジタルカメラを正面側から見た斜視図、図２は図１に示すデジタルカメラを背面側から見た斜視図、図３は図１に示すデジタルカメラの分解斜視図である。
【００１３】
本実施形態のデジタルカメラは、図１に示すように、正面カバー１ａ及び背面カバー１ｂにより外装を形成するカメラ本体１の正面部に、ズーム式のレンズ鏡筒２及びストロボ発光窓３が設けられている。カメラ本体１の上面部には、シャッタボタン５及びモード切替レバー６０が設けられている。カメラ本体１の背面部には、図２に示すように、ＬＣＤ等の表示部４及び操作ボタン群７０が設けられ、カメラ本体１の側部には、ストラップ取付部１１、及び後述する外部コネクタ１５を保護するカバー部材１２が設けられている。
【００１４】
カバー部材１２は、開閉可能に設けられており、カバー部材１２を開くことにより、外部コネクタ１５への各種ケーブル類の着脱が可能となる。また、カメラ本体１の底部には、図２及び図３に示すように、電池収納室８を覆う蓋部材９が開閉可能に設けられている。電池収納室８には、電源となる電池７の他、撮影画像データ等を記録するメモリカードやＨＤＤ等の記録媒体２００（図４参照）が収納される。
【００１５】
図４は、デジタルカメラの制御系の一例を示すブロック図である。図４において、開状態のバリア１０２から撮影レンズ１０３及び絞り機能を有するシャッタ１０１を通してＣＣＤセンサやＣＭＯＳセンサ等の撮像素子２２に被写体光が結像し、結像した被写体光は撮像素子２２で光電変換されてＡ／Ｄ変換部２３に出力される。
【００１６】
Ａ／Ｄ変換部２３は、撮像素子２２から出力されたアナログ信号をデジタル信号に変換し、また、音声制御部２１から出力されたアナログ信号もデジタル信号に変換する。タイミング発生部２６は、メモリ制御部２５及びシステム制御部５０により制御され、撮像素子２２、音声制御部２１、Ａ／Ｄ変換部２３、Ｄ／Ａ変換部２７に対してクロック信号や制御信号を供給する。
【００１７】
画像処理部２４は、Ａ／Ｄ変換部２３からのデータ、又はメモリ制御部２５からのデータに対し所定の画素補間、縮小等のリサイズ処理や色変換処理を行う。また、画像処理部２４は、撮像画像データを用いて所定の演算処理を行い、得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。更に、画像処理部２４は、撮像画像データを用いて所定の演算処理を行い、得られた演算結果に基づいてＴＴＬ方式のＡＷＢ（オートホワイトバランス）処理も行う。
【００１８】
Ａ／Ｄ変換部２３からの出力データは、画像処理部２４及びメモリ制御部２５を介して、或いは直接メモリ制御部２５を介してメモリ３２に書き込まれる。メモリ３２は、マイク２０で録音された音声データ、撮影した静止画像や動画像および画像ファイルを構成する場合のファイルヘッダを格納する。また、メモリ３２は、画像表示用のメモリを兼ねており、メモリ３２に書き込まれた表示用の画像データは、Ｄ／Ａ変換部２７を介して表示部４に表示される。
【００１９】
圧縮・伸張部２９は、適応離散コサイン変換（ＡＤＣＴ）等により画像データを圧縮伸張するもので、シャッタ１０１の動作をトリガにしてメモリ３２に格納された撮影画像を読み込んで圧縮処理を行い、処理後のデータをメモリ３２に書き込む。また、圧縮・伸張部２９は、記録媒体２００等からメモリ３２に読み込まれた圧縮画像を読み込んで伸張処理を行い、処理後のデータをメモリ３２に書き込む。圧縮・伸張部２９によりメモリ３２に書き込まれた画像データは、システム制御部５０によりファイル化され、インターフェース３１を介して記録媒体２００に記録される。
【００２０】
マイク２０から出力された音声信号は、アンプ等で構成される音声制御部２１を介してＡ／Ｄ変換部２３においてデジタル信号に変換された後、メモリ制御部２５によってメモリ３２に格納される。一方、記録媒体２００に記録されている音声データは、メモリ３２に読み込まれた後、Ｄ／Ａ変換部２７及び音声制御部２１を介してスピーカ３０から出力される。不揮発性メモリ５６は、例えばＥＥＰＲＯＭ等で構成され、システム制御部５０の動作用の定数、プログラム等を記憶する。
【００２１】
システム制御部５０は、デジタルカメラ全体の制御を司る。システムメモリ５２は、システム制御部５０の動作用の定数、変数や、不揮発性メモリ５６から読み出したプログラム等を展開する。シャッタボタン５の半押し操作でＳＷ１がＯＮとなり、ＡＦ処理、ＡＥ処理、ＡＷＢ処理、ＥＦ処理等の動作開始がシステム制御部５０に指示される。また、シャッタボタン５の全押し操作でＳＷ２がＯＮとなり、撮像素子２２からの信号読み出しから記録媒体２００に画像データを書き込むまでの一連の撮像処理の動作開始がシステム制御部５０に指示される。
【００２２】
モード切替レバー６０は、システム制御部５０の動作モードを静止画記録モード、動画記録モード、再生モード等のいずれかの動作モードに切り替え操作するためのものである。操作ボタン群７０には、例えばメニューボタン、４方向キーやＳＥＴボタン等が配置される。例えばメニューボタンが押されると、各種設定が可能なメニュー画面が表示部４に表示され、ユーザは、表示部４に表示されたメニュー画面と、４方向キーやＳＥＴボタンとを用いて直感的に各種設定を行うことができる。
【００２３】
電源スイッチ７２は、電源のオン／オフを切り替えるスイッチである。電源制御部３９は、電池検出回路、ＤＣ−ＤＣコンバータ、通電するブロックを切り替えるスイッチ回路等により構成され、電池７の装着の有無、電池の種類、電池残量等を検出する。また、電源制御部３９は、前記検出結果及びシステム制御部５０の指示に基づいてＤＣ−ＤＣコンバータを制御し、必要な電圧を必要な期間、記録媒体２００を含む各部へ供給する。
【００２４】
電池７は、アルカリ電池やリチウム電池等の一次電池やＮｉＣｄ電池やＮｉＭＨ電池、Ｌｉ電池等の二次電池が用いられ、コネクタ３３，３４を介して電源制御部３９に接続される。ＲＴＣ（Ｒｅａｌ  Ｔｉｍｅ  Ｃｌｏｃｋ）４０は、電源制御部３９とは別に内部に電源部を保持し、電源がＯＦＦ状態であっても、時計の動作を続ける。システム制御部５０は、起動時にＲＴＣ４０より取得した日時情報を用いてタイマー制御する。
【００２５】
記録媒体２００は、半導体メモリや磁気ディスク等から構成される記録部３８を有し、インターフェース３７、及びコネクタ３６，３５を介してインターフェース３１に接続される。記録媒体着脱検知部９８は、コネクタ３５に記録媒体２００が装着されているか否かを検知する。通信部１１０は、ＲＳ２３２Ｃ、ＵＳＢ、ＩＥＥＥ１３９４、Ｐ１２８４、ＳＣＳＩ、モデム、ＬＡＮ、無線通信等の各種通信処理を行う。
【００２６】
外部コネクタ１５には、カメラ本体１との間で電力の供給又は受け渡し、データ通信やリモコン制御等を行うための外部機器が各種ケーブル類等を介して接続される。
【００２７】
なお、図３に示す回路基板１００は、主基板と補助基板を有し、主基板には、例えば、カードＩ／Ｆ等を含む記録媒体スロットや撮像素子２２、画像処理部２４、システム制御部５０、表示部４、シリアルＩ／Ｆ、シリアル接続端子等が実装される。また、補助基板には、電源供給切換回路、ＤＣ／ＤＣコンバータ、操作ＳＷ、ビデオＩ／Ｆ、ビデオ接続端子、外部電源入力端子等が実装される。
【００２８】
図５は、カメラ本体１における電池収納室８の要部断面図である。図３及び図５に示すように、電池収納室８には、収納された電池７に接触する例えば円すい圧縮コイルばね等のばね部材１０が配置されている。
【００２９】
ばね部材１０は、電池７を電池収納室８に収納する際に、電池７で押されることでばね力に抗して圧縮変形し、蓋部材９を開くと、変形状態が開放されてばね力により電池７を電池収納室８から排出する方向に押し出す。これにより、電池収納室８から電池７を取り出しやすくしている。ばね部材１０は、カメラ本体１のアース体となるシャーシ１３に当接した状態で電池収納室８に固定される。シャーシ１３は、カメラ本体１のメインのグランド部に電気的に導通している。
【００３０】
シャーシ１３には、操作フレキシブル基板１４が取り付けられており、シャーシ１３は、操作フレキシブル基板１４に作用する操作力を受け止める。操作フレキシブル基板１４には、外部機器が接続される外部コネクタ１５が実装されている。外部コネクタ１５は、ばね部材１０の図５の右側に配置され、取り付け強度を確保するために、カメラ本体１の正面カバー１ａの側部内側にねじ等により固定されている。
【００３１】
そして、上述したように、カメラ本体１の側部に設けられたカバー部材１２を開くことにより、外部コネクタ１５が露出して、該外部コネクタ１５への各種ケーブル類の着脱が可能となる。
【００３２】
また、電池収納室８には、回路基板１００に実装された電池端子となる電池接片コネクタ１６がばね部材１０の図５の左側に位置して設けられている。電池接片コネクタ１６は、ハウジングに支持されて位置決めされ、ねじ等により電池収納室８に固定されている。電池接片コネクタ１６のハウジング内には、接片（不図示）が複数本支持されており、この複数本の接片が電池収納室８に収納された電池７に押圧されることにより、電池７の接点部と回路基板１００の電極部とが電池接片コネクタ１６を介して電気的に導通する。
【００３３】
本実施形態では、上述したように、ばね部材１０を外部コネクタ１５と電池接片コネクタ１６との間に配置して、電池７の中央部がばね部材１０に当接するようにしている。これにより、電池７をばね部材１０のばね力で電池収納室８から排出する方向に押し出す際に、電池７の傾きや電池収納室８の内壁への引っ掛かりが防止されて、電池収納室８から電池７をスムーズに取り出することができる。
【００３４】
また、ばね部材１０の基部には、外部コネクタ１５のハウジング（グランド部）に当接して該ハウジングに電気的に導通する当接部１０ａが設けられている。これにより、外部コネクタ１５のハウジングは、ばね部材１０及びシャーシ１３を介してメインのグランド部に電気的に導通する。
【００３５】
この結果、外部コネクタ１５に対して各種ケーブル類を着脱する際に、ユーザに帯電した静電気を、外部コネクタ１５のハウジング、ばね部材１０及びシャーシ１３を介してメインのグランド部に確実に流すことができる。また、電池収納室８に電池７を出し入れする際に、ユーザに帯電した静電気をばね部材１０及びシャーシ１３を介してメインのグランド部に確実に流すことができる。
【００３６】
更に、ばね部材１０は、電池収納室８に電池７を収納して蓋部材９を閉じた際には、圧縮状態が維持されているので、当接部１０ａが外部コネクタ１５のハウジングに対して弾性的に当接する。これにより、ねじ等による締結だけでは補えない外部コネクタ１５のがたつきを防止することができ、また、デジタルカメラに衝撃力が加えられてもばね部材１０の当接部１０ａと外部コネクタ１５のハウジングとの当接状態を良好に維持することができる。なお、ばね部材１０を高導電性材料で形成することにより、当接部１０ａと外部コネクタ１５のハウジングとの接触抵抗を調整することが可能となる。
【００３７】
図６は、電池収納室８にばね部材１０、シャーシ１３及び操作フレキシブル基板１４を組み付ける例を説明するための説明図である。本実施形態では、電池収納室８の上壁に形成された開口からばね部材１０を電池収納室８内に挿入して、操作フレキシブル基板１４が取り付けられたシャーシ１３によりばね部材１０の抜け止めをしている。
【００３８】
そして、ばね部材１０と操作フレキシブル基板１４とでシャーシ１３を挟み込んだ状態で、ばね部材１０の当接部１０ａを操作フレキシブル基板１４に実装された外部コネクタ１５のハウジングに当接させている。これにより、電池収納室８にばね部材１０、シャーシ１３及び操作フレキシブル基板１４を容易に組み付けることが可能となる。
【００３９】
以上説明したように、本実施形態では、カメラ本体１の外部コネクタ１５に対して各種ケーブル類を着脱する際、及び電池収納室８に電池７を出し入れする際に、新たな部品を追加することなく、ユーザに帯電した静電気をグランド部に確実に流すことができる。これにより、簡単な構造で、製造コストの増加及びデジタルカメラの大型化を招くことなく、デジタルカメラの外部から流入する静電気をグランド部へ確実に流して、回路基板１００等に実装された電子部品に悪影響を及ぼすことを回避することができる。
【００４０】
（第２の実施形態）
次に、図７及び図８を参照して、本発明の電子機器の第２の実施形態であるデジタルカメラについて説明する。なお、上記第１の実施形態に対して重複又は相当する部分については、各図に同一符号を付してその説明を省略する。
【００４１】
図７は本発明の電子機器の第２の実施形態であるデジタルカメラの要部断面図、図８は電池収納室８にばね部材１０、シャーシ１３及び操作フレキシブル基板１４を組み付ける例を説明するための説明図である。
【００４２】
図７に示すように、本実施形態のデジタルカメラは、電池収納室８内に設けられるばね部材１０として屈曲形状の板ばねを用い、該ばね部材１０の基部をシャーシ１３に溶接や接着等により固定している。
【００４３】
そして、電池収納室８にばね部材１０、シャーシ１３及び操作フレキシブル基板１４を組み付けるには、図８に示すように、電池収納室８の上壁に形成された開口からシャーシ１３に固定されたばね部材１０を電池収納室８内に挿入する。
【００４４】
次いで、ばね部材１０と操作フレキシブル基板１４とでシャーシ１３を挟み込んだ状態で、ばね部材１０の当接部１０ａを外部コネクタ１５のハウジングに当接させる。これにより、電池収納室８にばね部材１０、シャーシ１３及び操作フレキシブル基板１４をより容易に組み付けることが可能となる。その他の構成及び作用効果は、上記第１の実施形態と同様である。
【００４５】
なお、本発明の構成は、上記各実施形態に例示したものに限定されるものではなく、材質、形状、寸法、形態、数、配置箇所等は、本発明の要旨を逸脱しない範囲において適宜変更可能である。
【符号の説明】
【００４６】
１  カメラ本体
７  電池
８  電池収納室
９  蓋部材
１０  ばね部材
１０ａ  当接部
１３  シャーシ
１４  操作フレキシブル基板
１５  外部コネクタ
１６  電池接片コネクタ
【図１】
2012003916.tif 000003
【図２】
2012003916.tif 000004
【図３】
2012003916.tif 000005
【図４】
2012003916.tif 000006
【図５】
2012003916.tif 000007
【図６】
2012003916.tif 000008
【図７】
2012003916.tif 000009
【図８】
2012003916.tif 000010